(57)【要約】【課題】  表面に水溜まりができることが無く、しかも土砂詰まりが無く、良好な排水能力を維持することができ、頂壁部を高強度とすることができ、底壁部や両側壁部を比較的薄くすることができ、経済的な排水側溝を提供する。【解決手段】  側溝ブロック１の頂壁部２の上面には、その長手方向に沿って有底排水溝２１が設けられていて、しかも前記排水溝２１の底面２２は側溝ブロック１の長さの略中央を頂点として側溝ブロック１の端面に向かって低くなる勾配が形成されており、さらに側溝ブロック１の端面には、排水溝２１より流れてきた水が側溝内に流入するように切欠溝５が設けてある。【選択図】  図１
2005320710.tif 000002
【特許請求の範囲】
【請求項１】
側溝ブロックの頂壁部上面には、その長手方向に沿って有底排水溝が設けられていて、しかも前記排水溝の底面は側溝ブロックの長さの略中央を頂点として側溝ブロックの端面に向かって低くなる勾配が形成されており、さらに側溝ブロックの端面には、排水溝より流れてきた水が側溝内に流入するように切欠溝が設けてあることを特徴とする排水側溝ブロック。
【請求項２】
側溝ブロックの側壁部外周面には、その長手方向に沿って帯状溝が設けられていて、しかも前記帯状溝の底面は側溝ブロックの長さの略中央を頂点として側溝ブロックの端面に向かって低くなる勾配が形成されており、さらに側溝ブロックの端面には、帯状溝より流れてきた水が側溝内に流入するように前記切欠溝と連通していることを特徴とする請求項１記載の排水側溝ブロック。
【請求項３】
前記切欠溝は下方が広がるように形成されていることを特徴とする請求項１記載の排水側溝ブロック。
【発明の詳細な説明】
【技術分野】
【０００１】
本発明は、道路等に沿って敷設して、路面の雨水等を排水する排水側溝に使用するブロックに関するものである。
【背景技術】
【０００２】
路面等から集水した雨水等を排水する側溝は、一般に歩行者や自動車などの安全を図り、側溝への土砂などの侵入を防止するために、側溝の上に蓋が連続して並設されているが、この側溝蓋には、側溝の長手方向と直交する方向に蓋の手掛け用開口部（切欠部）が形成されており、その開口部から路面等からの雨水等を集水しているが、開口部は側溝の長手方向に間隔をおいて設けられているので、集水効率が悪く、開口部から離れた個所の蓋上に水たまりが生じ易く、歩行者等に支障を来したり、自転車などの走行に際してもしぶきが飛散することが多く、しかも開口長さが短いため、土砂などによる目詰まりの影響を受け易く、排水能力が低下していた。
【０００３】
上記の欠点を改善するために、側溝の長手方向と平行する方向に長尺のスリット溝を形成した側溝蓋も使用されているが、側溝蓋の強度を配慮すると、スリット溝の長さには上限があり、スリット溝のない所へ流れた路面等からの雨水等は、しばらく側溝の中央部近辺で滞留して、かなり多量の水が集まるまで流れないので、水溜まりができ、歩行者等に支障を来したり、自転車などの走行に際してもしぶきが飛散する欠点があった。
【０００４】
特許文献１では、この種の側溝ブロック、すなわち側溝の上面部に一本のスリット溝を形成するスリット付き側溝ブロックにおいて、間隔保持部材兼導入溝条を設けて底壁・両側壁下端にひびや亀裂が入らないようにした側溝ブロックが提案されているが、中央部にスリット溝が設けられているので、依然として強度的に問題があり、しかも間隔保持部材は厚さがわずかしかないため、側溝の上面部には少量の鉄筋しか入れることができないので、これを補完するために底壁・両側壁は比較的厚い部材とせざるを得ず、重量の高い不経済な側溝とならざるを得なかった。
【特許文献１】特開平２００３−４９４７６号公報
【発明の開示】
【発明が解決しようとする課題】
【０００５】
本発明は、かかる現状に鑑み、表面の雨水が早く排水されて水溜まりができることが無く、しかも土砂が側溝内へ容易に流入して土砂詰まりが無く、良好な排水能力を維持することができ、頂壁部は鉄筋を十分に入れる厚みを有していて高強度とすることができ、底壁部や両側壁部を過度に厚くして強度を補完する必要がなくなり、比較的薄くすることができるので、経済的となる排水側溝を提供することを目的とするものである。
【課題を解決するための手段】
【０００６】
本発明は、上記の目的を達成するものであって、請求項１の発明は、側溝ブロックの頂壁部上面には、その長手方向に沿って有底排水溝が設けられていて、しかも前記排水溝の底面は側溝ブロックの長さの略中央を頂点として側溝ブロックの端面に向かって低くなる勾配が形成されており、さらに側溝ブロックの端面には、排水溝より流れてきた水が側溝内に流入するように切欠溝が設けてあることを特徴とする排水側溝ブロックである。
【０００７】
請求項２の発明は、側溝ブロックの側壁部外周面には、その長手方向に沿って帯状溝が設けられていて、しかも前記帯状溝の底面は側溝ブロックの長さの略中央を頂点として側溝ブロックの端面に向かって低くなる勾配が形成されており、さらに側溝ブロックの端面には、帯状溝より流れてきた水が側溝内に流入するように前記切欠溝と連通していることを特徴とする請求項１記載の排水側溝ブロックである。
【０００８】
請求項３の発明は、前記切欠溝は下方が広がるように形成されていることを特徴とする請求項１記載の排水側溝ブロックである。
【発明の効果】
【０００９】
本発明の排水側溝ブロックによれば、頂壁部の上面に排水溝を設け、勾配を付けたので、雨水が早く流れて、排水され、水溜まりができることが無くなり、しかも側溝端面の切欠溝は下方が広がっているため、土砂が側溝内へ容易に流入するため土砂詰まりが無くなり、良好な排水能力を維持することができる。また、排水溝は有底の溝であるので、頂壁部は鉄筋を十分に入れる厚みを有していて、高強度とすることができるため、底壁部や両側壁部を過度に厚くして頂壁部の強度を補完する必要がなくなり、比較的薄くすることができるので、経済的である。
【発明を実施するための最良の形態】
【００１０】
以下、本発明をその実施例である図面にしたがって具体的に説明する。
図１〜４において、１は本発明の排水側溝ブロックであって、該排水側溝ブロック１は、主として頂壁部２と両側壁部３，３と底部４とで一体に形成されてなるものである。
【００１１】
頂壁部２は、図１〜図４に示すように、その上面には、その長手方向に沿って有底排水溝２１が設けられていて、しかも前記有底排水溝２１の底面２２は側溝ブロック１の長さの略中央を頂点として側溝ブロック１の端面に向かって低くなる勾配が形成されている。このように、頂壁部２の上面に排水溝２１を設けて底面２２に勾配を付けたので、雨水が早く流れて、排水され、水溜まりができることが無くなり、また、頂壁部２は有底の溝であるので、頂壁部２には鉄筋を十分に入れる厚みがあり、鉄筋によって高強度とすることができるため、底壁部や両側壁部を過度に厚くして頂壁部２の強度を補完する必要がなくなり、比較的薄い適切な厚みにすることができるので、経済的である。頂壁部２の上面は、図１，図２に示すように有底排水溝２１に向けて勾配を設けてあることが望ましく、この場合には雨水等の集水性能が優れており、上面での水の滞留を防止することができる。また、図１，図４に示すように有底排水溝２１は２本等の複数本であることが望ましく、この場合には路面等からの雨水等は上面に溜まることが一層なくなり、排水溝２１に速やかに達することができる。頂壁部２の上面に複数条設けた流水勾配を有する排水溝２１は、上端荷重が集中する上面の中心部付近が排水溝でえぐられる深さを最小限に止めることに効果的であって、特別な補強を必要としないので、所定の強度を確保できる利点を有する。なお、頂壁部２は、両側壁部３，３とは図に示すように一体的に成形されたものが望ましいが、これに限らず、両側壁部３，３とは別体の蓋体であっても良い。
【００１２】
さらに、側溝ブロック１の端面には、側溝ブロック１内へ連通する切欠溝５が設けてあり、排水溝２１より流れてきた水を側溝ブロック１内に流入させることができる。切欠溝５は、排水溝２１の下方に、しかも排水溝２１の長手方向と直交する方向に設けられるので、複数の排水溝２１からの水を集水して側溝ブロック１内に流入させることができる。さらに、その切欠溝５は下方が広がるように形成されているので、土砂が混入した場合でも側溝内へ容易に流入するため、土砂詰まりが無くなり、良好な排水能力を維持することができる。
【００１３】
側溝ブロックの両側壁部３，３の外周面には、その長手方向に沿って帯状溝３１が設けられているので、側溝ブロック１の外周に設けた透水性舗装から浸透してきた雨水等が流入し、しかも前記帯状溝３１の底面３２は側溝ブロック１の長さの略中央を頂点として側溝ブロックの端面に向かって低くなる勾配が形成されているので、速やかに側溝ブロック１の端面に向かって流れることとなる。さらに、側溝ブロック１の端面では、帯状溝３１より流れてきた水が側溝内に流入するように切欠溝５と連通されているので、側溝ブロック１内に流入させることができる。このように、両側壁部３，３の側壁部外周面には、帯状溝３１を設け、しかも底面３２に勾配を付けたので、雨水が早く流れて、排水され、水溜まりができることが無くなる。さらに、その切欠溝５は前述のように下方が広がるように形成されているので、土砂が側溝内へ容易に流入するため、土砂詰まりが無くなり、良好な排水能力を維持することができる。なお、底部４は、円弧状などのほか各種の形状であってよい。
【図面の簡単な説明】
【００１４】
【図１】本発明の排水側溝の一例の正面図である。
【図２】図１の排水側溝の要部拡大図である。
【図３】図１の排水側溝の側面図である。
【図４】図１の排水側溝の平面図である。
【符号の説明】
【００１５】
１      排水側溝ブロック
２      頂壁部
２１    有底排水溝
２２    底面
３      側壁部
３１    帯状溝
３２    底面
４      底部
５      切欠溝
【図１】
2005320710.tif 000003
【図２】
2005320710.tif 000004
【図３】
2005320710.tif 000005
【図４】
2005320710.tif 000006